(57)【要約】【課題】組み立てが容易であり、かつピント調整が容易な画像読取装置を提供する。【解決手段】画像読取装置の枠体駆動部４０は、モータ４１、第１の駆動軸５１、第１の従動軸５２、第１の駆動軸５１と第１の従動軸５２に巻き掛けられ第１の可動枠体２０が固定された無端の第１のワイヤ５３、第２の駆動軸６１、第２の従動軸６２、第２の駆動軸６１と第２の従動軸６２に巻き掛けられ第２の可動枠体３０が固定された無端の第２のワイヤ６３を備える。モータ４１の駆動力は第１のベルト５６及び第２のベルト６６によって第１の駆動軸５１及び第２の駆動軸６１に伝達される。第１のベルト５６に対向する押圧部材７１を動かして第１のベルト５６のたるみを調整してモータ４１の駆動力の第１の駆動軸５１への伝達を切り換える。ピントを調整する場合は第２の駆動軸６１のみに駆動力を伝達し、第２の可動枠体３０だけを動かす。【選択図】図２
2008193642.tif 000002
【特許請求の範囲】
【請求項１】
原稿を走査する第１の可動枠体と、
前記第１の可動枠体で原稿を走査した光を反射させる第２の可動枠体と、
前記第２の可動枠体で反射した光を受ける受光部と、
を備える画像読取装置において、
第１のプーリーを両端に備えた第１の駆動軸及び第１の従動軸と、
前記第１の駆動軸の前記第１のプーリーと前記第１の従動軸の前記第１のプーリーに巻き掛けられ、前記第１の可動枠体の端部が固定された無端の第１のワイヤと、
第２のプーリーを両端に備えた第２の駆動軸及び第２の従動軸と、
前記第２の駆動軸の前記第２のプーリーと前記第２の従動軸の前記第２のプーリーに巻き掛けられ、前記第２の可動枠体の端部が固定された無端の第２のワイヤと、
モータと、
前記モータの駆動力を前記第１の駆動軸及び前記第２の駆動軸に伝達する駆動伝達部と、
前記モータの駆動力が、前記第１の駆動軸及び前記第２の駆動軸の両方に伝達された状態と、前記第１の駆動軸又は前記第２の駆動軸の一方にのみ伝達された状態とを切り換える駆動切換部を備えることを特徴とする画像読取装置。
【請求項２】
前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、前記モータによって回転するモータ軸と、前記第１の駆動プーリーと前記モータ軸に巻き掛けられた前記無端の第１のベルトと、前記第２の駆動プーリーと前記モータ軸に巻き掛けられた無端の第２のベルトと、を備え、
前記駆動切換部が、前記第１のベルト又は前記第２のベルトのいずれかに対向する押圧部材と、前記押圧部材を前記押圧部材が対向する前記第１のベルト又は前記第２のベルトのたるみがなくなるように付勢する付勢手段と、前記押圧部材を前記押圧部材が対向する前記第１のベルト又は前記第２のベルトにたるみが生じるように移動させる押圧部材移動手段とを備えることを特徴とする請求項１に記載の画像読取装置。
【請求項３】
前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、第３の駆動プーリーと、前記モータによって回転するモータ軸と、前記第１の駆動プーリーと前記第３の駆動プーリーに巻き掛けられた前記無端の第１のベルトと、前記第２の駆動プーリーと前記モータ軸に巻き掛けられた無端の第２のベルトと、を備え、
前記駆動切換部が、前記第３の駆動伝達プーリーと同軸となるように設けられた第１のギヤと、前記モータ軸と同軸となるように設けられた第２のギヤと、前記第１のギヤと前記第２のギヤ対向するアイドルギヤと、前記アイドルギヤを前記第１のギヤ及び前記第２のギヤに噛み合うように付勢する付勢手段と、前記アイドルギヤを前記第１のギヤ及び前記第２のギヤから離れるように移動させるアイドルギヤ移動手段とを備えることを特徴とする請求項１に記載の画像読取装置。
【請求項４】
前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、前記モータによって回転するモータ軸と、前記第１の駆動プーリーと前記モータ軸に巻き掛けられた前記無端の第１のベルトと、前記第２の駆動プーリーと前記モータ軸に巻き掛けられた無端の第２のベルトと、を備え、
前記駆動切換部が、前記第１の駆動軸と前記第１の駆動プーリーとの間又は前記第２の駆動軸と前記第２の駆動プーリーとの間に設けられたクラッチを備えることを特徴とする請求項１に記載の画像読取装置。
【発明の詳細な説明】
【技術分野】
【０００１】
本発明は、画像読取装置に関する。
【背景技術】
【０００２】
複写機やファクシミリまたはコンピュータ等に原稿の画像をデータとして取り込むのに用いられる画像読取装置において、光源及び反射鏡を備えた第１の可動枠体によって原稿を照射及び走査し、２個の反射鏡を備えた第２の可動枠体で反射された原稿からの光をＣＣＤなどの受光素子によって受けるものが広く用いられている。
【０００３】
このような画像読取装置では、原稿からの光の受光素子への投影倍率を一定に保つため、走査の際の第１の可動枠体の移動速度ｖ１と第２の可動枠体の移動速度ｖ２の関係をｖ１：ｖ２＝２：１に保つ必要がある。そのため例えば特許文献１や特許文献２で提案された画像読取装置では、複数の固定プーリーに巻き付けられたワイヤに第１の枠体を固定し、このワイヤに巻き付けられた可動プーリーに第２の枠体を固定して、固定プーリーが回転してワイヤが動くと上述の速度比で第１の枠体及び第２の枠体が移動するようになっている。また、特許文献３で提案された原稿走査装置では第１の枠体及び第２の枠体がラックギヤ及びピニオンで移動するものが提案されている。
【０００４】
ところで、画像読取装置において、製造時は合っていたピントが長期間使用しているうちに次第にずれることがある。そのため、特許文献２で提案された画像読取装置では、ピントを合わせるのに、レンズ及び受光素子（ラインセンサ）を備えるレンズキャリッジを移動させる方法が提案されている。また、特許文献３では、ラックギヤをビスで移動させてピントを合わせる方法が提案されている。
【特許文献１】特開平７−２８１３１７号公報
【特許文献２】特開平１０−３０７３４３号公報
【特許文献３】特開平６−８２９２４号公報
【発明の開示】
【発明が解決しようとする課題】
【０００５】
しかし、特許文献１や特許文献２で提案された、可動プーリーを用いた画像読取装置では、使用するプーリーが多く、ワイヤが長くなるためワイヤの巻き付けが煩雑であり、第１の可動枠体及び第２の可動枠体の位置決めも難しいという問題があった。また、プーリーが多いため、画像の読み取り精度を高くするには各々のプーリーの精度を高いものにしなければならないという問題がある。また、特許文献２で提案されたピントを合わせる方法では、レンズ及び受光素子を移動させるため、光軸がずれるおそれがあり、微調整が困難である。
【０００６】
一方、特許文献３で提案された画像読取装置では、ラックギヤ及びピニオンを用いているため、これらの歯がうまく噛み合わないことがあり、その場合には鮮明な画像が得られない。また、特許文献３で提案されたピントを合わせる方法では、画像読取装置の奥に配置されたビスを回さなければならないため、ピントを合わせる作業が困難である。
【０００７】
そこで本発明は、可動プーリー又はラックギヤ及びピニオンを用いない構造であり、かつピント調整の作業性の良い画像読取装置を提供することを目的とする。
【課題を解決するための手段】
【０００８】
上記目的を達成するために本発明は、原稿を走査する第１の可動枠体と、前記第１の可動枠体で原稿を走査した光を反射させる第２の可動枠体と、前記第２の可動枠体で反射した光を受ける受光部と、を備える画像読取装置において、第１のプーリーを両端に備えた第１の駆動軸及び第１の従動軸と、前記第１の駆動軸の前記第１のプーリーと前記第１の従動軸の前記第１のプーリーに巻き掛けられ、前記第１の可動枠体の端部が固定された無端の第１のワイヤと、第２のプーリーを両端に備えた第２の駆動軸及び第２の従動軸と、前記第２の駆動軸の前記第２のプーリーと前記第２の従動軸の前記第２のプーリーに巻き掛けられ、前記第２の可動枠体の端部が固定された無端の第２のワイヤと、モータと、前記モータの駆動力を前記第１の駆動軸及び前記第２の駆動軸に伝達する駆動伝達部と、前記モータの駆動力が、前記第１の駆動軸及び前記第２の駆動軸の両方に伝達された状態と、前記第１の駆動軸又は前記第２の駆動軸の一方にのみ伝達された状態とを切り換える駆動切換部を備えることを特徴とする。
【０００９】
また本発明は、上記構成の画像読取装置において、前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、前記モータによって回転するモータ軸と、前記第１の駆動プーリーと前記モータ軸に巻き掛けられた前記無端の第１のベルトと、前記第２の駆動プーリーと前記モータ軸に巻き掛けられた無端の第２のベルトと、を備え、前記駆動切換部が、前記第１のベルト又は前記第２のベルトのいずれかに対向する押圧部材と、前記押圧部材を前記押圧部材が対向する前記第１のベルト又は前記第２のベルトのたるみがなくなるように付勢する付勢手段と、前記押圧部材を前記押圧部材が対向する前記第１のベルト又は前記第２のベルトにたるみが生じるように移動させる押圧部材移動手段とを備えることを特徴とする。押圧部材移動手段としては例えばソレノイドを用いることができる。
【００１０】
また本発明は、上記構成の画像読取装置において、前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、第３の駆動プーリーと、前記モータによって回転するモータ軸と、前記第１の駆動プーリーと前記第３の駆動プーリーに巻き掛けられた前記無端の第１のベルトと、前記第２の駆動プーリーと前記モータ軸に巻き掛けられた無端の第２のベルトと、を備え、前記駆動切換部が、前記第３の駆動伝達プーリーと同軸となるように設けられた第１のギヤと、前記モータ軸と同軸となるように設けられた第２のギヤと、前記第１のギヤと前記第２のギヤ対向するアイドルギヤと、前記アイドルギヤを前記第１のギヤ及び前記第２のギヤに噛み合うように付勢する付勢手段と、前記アイドルギヤを前記第１のギヤ及び前記第２のギヤから離れるように移動させるアイドルギヤ移動手段とを備えることを特徴とする。アイドルギヤ移動手段としては例えばソレノイドを用いることができる。
【００１１】
また本発明は、上記構成の画像読取装置において、前記駆動伝達部が、前記第１の駆動軸の一端の前記第１のプーリーの外側に設けられた第１の駆動プーリーと、前記第２の駆動軸の一端の前記第２のプーリーの外側に設けられた第２の駆動プーリーと、前記モータによって回転するモータ軸と、前記第１の駆動プーリーと前記モータ軸に巻き掛けられた前記無端の第１のベルトと、前記第２の駆動プーリーと前記モータ軸に巻き掛けられた無端の第２のベルトと、を備え、前記駆動切換部が、前記第１の駆動軸と前記第１の駆動プーリーとの間又は前記第２の駆動軸と前記第２の駆動プーリーとの間に設けられたクラッチを備えることを特徴とする。
【発明の効果】
【００１２】
本発明によると、第１の可動枠体と第２の可動枠体が固定される第１のワイヤと第２のワイヤが無端であり、第１のワイヤと第２のワイヤが巻き掛けられる第１のプーリーと第２のプーリーが固定プーリーであるため、ワイヤの巻き掛け方が単純であるため組み立てやすい。また、第１の可動枠体と第２の可動枠体とを独立して動作させることができるため、画像読取装置の内部に触れることなくピントを調整することができる。また、ピントを調整する際に受光部を動かす必要がないため、光軸がずれるおそれもない。
【発明を実施するための最良の形態】
【００１３】
〈第１の実施形態〉
本発明の第１の実施形態について図を参照して説明する。図１は第１の実施形態の画像読取装置の概略構成図、図２は第１の実施形態の画像読取装置の概略斜視図、図３は第１の実施形態の画像読取装置の駆動切換部周辺の平面図、図４は第１の実施形態の画像読取装置の駆動切換部周辺の正面図である。
【００１４】
まず、画像読取装置１０の構成について説明する。図１に示すように、画像読取装置１０は、本体１１と、本体１１の上部に設けられた蓋１２とを備える。蓋１２は、本体１１の上面に載置された原稿１９を押さえるものであり、本体１１に図１の奥側を支点として開閉自在に取り付けられている。
【００１５】
本体１１は、上面にガラスなどの透明な材料からなるプラテン１３を備え、内部には、図１において左右方向にプラテン１３の下方をプラテン１３に平行に移動可能に設けられた第１の可動枠体２０及び第２の可動枠体３０、受光部１６、制御部１７を備える。受光部１６は、集光レンズ１６ａ及び受光素子１６ｂを備え、受光素子１６ｂとしては、例えばライン型のＣＣＤを用いることができる。第１の可動枠体２０は、枠２１上に露光ランプ２２と第１の反射鏡２３とを搭載し、第２の可動枠体３０は、枠３１上に第２の反射鏡３２と第３の反射鏡３３とを搭載する。制御部１７は、使用者による操作ボタン（不図示）の操作による指示や、画像読取装置１０に接続された外部コンピュータ（不図示）の指示を受け、画像読取装置１０の動作を制御する。
【００１６】
また、本体１１の内部には、図２に示す枠体駆動部４０が設けられている。枠体駆動部４０は、駆動装置であるモータ４１、第１の駆動軸５１、第１の従動軸５２、２本の無端の第１のワイヤ５３、第２の駆動軸６１、第２の従動軸６２、２本の無端の第２のワイヤ６３を備える。モータ４１にはモータ４１によって回転するモータ軸４２が設けられている。第１の駆動軸５１、第１の従動軸５２、第２の駆動軸６１及び第２の従動軸６２は、互いに平行に配置されている。第１の駆動軸５１及び第１の従動軸５２の両端には第１のプーリー５４が設けられており、第２の駆動軸６１及び第２の従動軸６２の両端には第２のプーリー６４が設けられている。第１のプーリー５４の直径は第２のプーリー６４の直径よりも大きく、本実施形態では第１のプーリー５４の直径は第２のプーリー６４の直径の２倍である。同じ側の第１のプーリー５４同士には第１のワイヤ５３が、同じ側の第２のプーリー６４同士には第２のワイヤ６３がそれぞれ１本ずつたるみなく巻き掛けられている。また、図３に示すように、第１の駆動軸５１の一端には第１のプーリー５４の外側に第１の駆動伝達プーリー５５が設けられており、第２の駆動軸６１の第１の駆動伝達プーリー５５と同じ側の端部には第２のプーリー６４の外側に第２の駆動伝達プーリー６５が設けられている。第１の駆動伝達プーリー５５とモータ軸４２には第１の駆動ベルト５６が巻き掛けられており、第２の駆動伝達プーリー６５とモータ軸４２には第２の駆動ベルト６６が巻き掛けられているため、モータ４１の駆動力を第１の駆動軸５１及び第２の駆動軸６１に伝達することができる。
【００１７】
２本の第１のワイヤ５３のそれぞれには第１の可動枠体２０の枠２１に設けられた梁２４の一端及び他端が固定されており、２本の第２のワイヤ６３のそれぞれには第２の可動枠体３０の枠３１に設けられた梁３４の一端及び他端が固定されている。
【００１８】
なお、簡略化のため図１では枠体駆動部４０を省略しており、図２では第１の可動枠体２０及び第２の可動枠体３０は枠２１、３１だけを示している。
【００１９】
本実施形態の画像読取装置１０は、このように可動プーリーを用いないためワイヤの構成、巻き掛け方が単純であるため組み立てやすい。さらに、第１の可動枠体２０を駆動する第１のワイヤ５３と、第２の可動枠体３０を駆動する第２のワイヤ６３とが独立しているため、第１の可動枠体２０と第２の可動枠体３０とが移動する際の共振を防ぐことができる。
【００２０】
次に、画像読取装置１０の動作について説明する。制御部１７が指示を受け、モータ４１が回転を開始すると、第１の可動枠体２０及び第２の可動枠体３０は、図２に示す初期位置から、プラテン１３の下方をプラテン１３に平行に図４に示すように移動し、プラテン１３上の原稿を露光ランプ２２で照射し、読取走査する。照射光は順に第１の反射鏡２３、第２の反射鏡３２及び第３の反射鏡３３で反射し、集光レンズ１６ａを通じて受光素子１６ｂ上に縮小結像され、光電変換処理を経て電気信号となるように読み取られ、この電気信号は制御部１７を経由して、画像読取装置１０に接続された外部コンピュータ（不図示）又はプリンタや複写機のような画像形成装置（不図示）に送られる。
【００２１】
第１の可動枠体２０は第１のワイヤ５３に固定され、第２の可動枠体３０は第２のワイヤ６３に固定されており、第１の可動枠体２０の移動速度ｖ１と第２の可動枠体３０の移動速度ｖ２とがｖ１：ｖ２＝２：１の関係となるように、各プーリーの直径が設定されている。したがって、光路長、すなわち第１の可動枠体２０の露光ランプ２２から出射し、原稿を照射した光が受光素子１６ｂまで通過する距離は一定に保たれる。
【００２２】
本実施形態において、枠体駆動部４０には、図３、図４に示すように、モータ４１が動作した状態で第１の駆動軸５１への駆動力の伝達が切れた状態及び繋がった状態を切り換える駆動切換部７０が設けられている。駆動切換部７０は、第１の駆動伝達プーリー５５とモータ軸４２との間で第１の駆動ベルト５６に上方から接触する押圧部材７１と、押圧部材７１の両端に設けられ押圧部材７１を第１の駆動ベルト５６に押しつけるように付勢する圧縮コイルバネからなる付勢手段７２と、押圧部材７１を付勢手段７２による付勢方向と反対方向に移動させるソレノイド７３とを備える。ソレノイド７３の動作は制御部１７を介して使用者が操作ボタンの操作によって制御することができる。なお、図２では駆動切換部７０は押圧部材７１のみを示している。
【００２３】
ソレノイド７３が動作していない状態では、付勢手段７２によって押圧部材７１が第１の駆動ベルト５６に押しつけられ、図４に示すように、第１の駆動ベルト５６はたるみがなくなり第１の駆動軸５１へモータ４１の駆動力が伝達される状態となる。一方、ソレノイド７３が動作した状態では、図５に示すように、押圧部材７１が第１の駆動ベルト５６から離れる方向に移動するため、第１の駆動ベルト５６にはたるみが生じて第１の駆動軸５１へモータ４１の駆動力が伝達されない状態となる。したがって、１個のモータ４１だけで、第１の可動枠体２０及び第２の可動枠体３０の両方を駆動している状態と、第２の可動枠体３０だけを駆動している状態とを実現することができる。
【００２４】
このように構成することにより、画像読取装置１０において、何らかの理由で光路長がずれてピントがずれた場合には、第１の可動枠体２０を停止した状態で第２の可動枠体３０だけを動作させて光路長を調整し、ピントを合わせることができる。ピントの確認は、自動制御で行ってもよいし、使用者の指示に基づいて第２の可動枠体３０を少しずつ動作させる毎に画像を読み込んで、外部コンピュータに表示された画像や画像形成装置で形成された画像を使用者が目視により確認して行ってもよい。
【００２５】
また、ピントを合わせた状態で、第１の可動枠体２０が画像読取動作をしていない時の位置にある時の、第２の可動枠体３０の位置を制御部１７で記憶するようにしてもよい。これにより、その後のピント調整を容易にすることができる。
〈第２の実施形態〉
本発明の第２の実施形態について図面を参照して説明する。図６は第２の実施形態の画像読取装置の駆動切換部周辺の平面図、図７は第２の実施形態の画像読取装置の駆動切換部周辺の正面図である。第２の実施形態は、駆動切換部７０の構成が異なる以外は第１の実施形態と同様であり、実質上同一の部分には同一の符号が付してある。
【００２６】
本実施形態において、図６、図７に示すように、第１の駆動ベルト５６は第１の駆動伝達プーリー５５及び第３の駆動伝達プーリー５７に、第２の駆動ベルト６６は第２の駆動伝達プーリー６５及びモータ軸４２にそれぞれたるみなく巻き掛けられている。
【００２７】
本実施形態において、駆動切換部７０は、第３の駆動伝達プーリー５７のモータ４１側には第３の駆動伝達プーリー５７と同軸となるように設けられた第１のギヤ７４と、モータ軸４２の第２の駆動ベルト６６とモータ４１との間にモータ軸４２と同軸となるように設けられた第２のギヤ７５と、上下に移動可能であり第１のギヤ７４と第２のギヤ７５に上方から接触するアイドルギヤ７６と、アイドルギヤ７６の軸の両端に設けられアイドルギヤ７６を第１のギヤ７４及び第２のギヤ７５と噛み合うように付勢する圧縮コイルバネからなる付勢手段７２と、アイドルギヤ７６を付勢手段７２による付勢方向と反対方向に移動させるソレノイド７３とを備える。第１のギヤ７４と第２のギヤ７５とは接触しない。ソレノイド７３の動作は制御部１７を介して使用者が操作ボタンの操作によって制御することができる。
【００２８】
ソレノイド７３が動作していない状態では、図７に示すように、付勢手段７２によってアイドルギヤ７６が第１のギヤ７４及び第２のギヤ７５と噛み合い、第１の駆動軸５１及び第２の駆動軸６１へモータ４１の駆動力が伝達される状態となる。一方、ソレノイド７３が動作した状態では、図８に示すように、アイドルギヤ７６が第１のギヤ７４及び第２のギヤ７５から離れるため第１の駆動軸５１へモータ４１の駆動力が伝達されない状態となる。したがって、１個のモータ４１だけで、第１の可動枠体２０及び第２の可動枠体３０の両方を駆動している状態と、第２の可動枠体３０だけを駆動している状態とを実現することができる。
【００２９】
本実施形態においても第１の実施形態と同様に、画像読取装置１０においてピントがずれた場合には、第１の可動枠体２０を停止した状態で第２の可動枠体３０だけを動作させて光路長を調整し、ピントを合わせることができる。
【００３０】
〈第３の実施形態〉
本発明の第３の実施形態について図面を参照して説明する。図９は第３の実施形態の画像読取装置の駆動切換部周辺の正面図である。第３の実施形態は、駆動切換部が電磁クラッチからなる点以外は第１の実施形態と同様であり、実質上同一の部分には同一の符号が付してある。
【００３１】
本実施形態において、図９に示すように、第１の駆動ベルト５６は第１の駆動伝達プーリー５５及びモータ軸４２に、第２の駆動ベルト６６は第２の駆動伝達プーリー６５及びモータ軸４２にそれぞれたるみなく巻き掛けられている。第１の駆動伝達プーリー５５と第１の駆動軸５１との間には電磁クラッチ７７が設けられている。電磁クラッチ７７の動作は制御部１７を介して使用者が操作ボタンの操作によって制御することができる。
【００３２】
電磁クラッチ７７が繋がった状態では、第１の駆動軸へモータ４１の駆動力が伝達される状態となる。一方、電磁クラッチ７７が切れた状態では、第１の駆動軸５１へモータ４１の駆動力が伝達されない状態となる。したがって、１個のモータ４１だけで、第１の可動枠体２０及び第２の可動枠体３０の両方を駆動している状態と、第２の可動枠体３０だけを駆動している状態とを実現することができる。
【００３３】
なお、本実施形態において、電磁クラッチ７７は、第１の駆動伝達プーリー５５と第１の駆動軸５１との間ではなく、２個の第１のプーリー５４と第１の駆動軸５１との間のそれぞれに設けられていてもよい。
【００３４】
このように構成することにより、駆動切換部を小型で簡単な構成とできるため、画像読取装置１０の小型化を図ることができ、さらに製造が容易となる。また、本実施形態においても第１の実施形態と同様に、画像読取装置１０においてピントがずれた場合には、第１の可動枠体２０を停止した状態で第２の可動枠体３０だけを動作させて光路長を調整し、ピントを合わせることができる。
【００３５】
なお、第１〜第３の実施形態において、駆動切換部７０又は電磁クラッチ７７によって独立して動作させることができるのが第２の駆動枠体３０であってもよい。
【産業上の利用可能性】
【００３６】
本発明は、コンピュータ等に原稿の画像をデータとして取り込むのに用いられる画像読取装置や、複写機やファクシミリの一部として設けられた画像読取部として用いることができる。
【図面の簡単な説明】
【００３７】
【図１】第１の実施形態の画像読取装置の概略構成図
【図２】第１の実施形態の画像読取装置の枠体駆動部の概略斜視図
【図３】第１の実施形態の画像読取装置の駆動切換部周辺の平面図
【図４】第１の実施形態の画像読取装置の駆動切換部周辺の正面図
【図５】第１の駆動軸へ駆動力が伝達されない状態の第１の実施形態の駆動切換部周辺の正面図
【図６】第２の実施形態の画像読取装置の駆動切換部周辺の平面図
【図７】第２の実施形態の画像読取装置の駆動切換部周辺の正面図
【図８】第１の駆動軸へ駆動力が伝達されない状態の第２の実施形態の駆動切換部周辺の正面図
【図９】第３の実施形態の画像読取装置の駆動切換部周辺の正面図
【符号の説明】
【００３８】
１０      画像読取装置
１１      本体
１２      蓋
１３      プラテン
１６      受光部
１６ａ    集光レンズ
１６ｂ    受光素子
１７      制御部
１９      原稿
２０      第１の可動枠体
２１      枠１
２２      露光ランプ
２３      第１の反射鏡
２４      梁
３０      第２の可動枠体
３１      枠２
３２      第２の反射鏡
３３      第３の反射鏡
３４      梁
４０      枠体駆動部
４１      モータ
４２      モータ軸
５１      第１の駆動軸
５２      第１の従動軸
５３      第１のワイヤ
５４      第１のプーリー
５５      第１の駆動伝達プーリー
５６      第１の駆動ベルト
５７      第３の駆動伝達プーリー
６１      第２の駆動軸
６２      第２の従動軸
６３      第２のワイヤ
６４      第２のプーリー
６５      第２の駆動伝達プーリー
６６      第２の駆動ベルト
７０      駆動切換部
７１      押圧部材
７２      付勢手段
７３      ソレノイド
７４      第１のギヤ
７５      第２のギヤ
７６      アイドルギヤ
７７      電磁クラッチ
【図１】
2008193642.tif 000003
【図２】
2008193642.tif 000004
【図３】
2008193642.tif 000005
【図４】
2008193642.tif 000006
【図５】
2008193642.tif 000007
【図６】
2008193642.tif 000008
【図７】
2008193642.tif 000009
【図８】
2008193642.tif 000010
【図９】
2008193642.tif 000011